(57)【要約】【課題】シリンダブロックが、クランクケースに設けられた収納部に収納されつつ、クランクケースに対して相対移動する可変圧縮比内燃機関において、シリンダブロックに形成されたウォータジャケットから冷却水を良好に排出可能とする技術を提供する。【解決手段】シリンダブロック３にシリンダブロック側ドレン３ｆを設けるとともに、クランクケース４には、クランクケース側ドレン４ｈを設ける。シリンダブロック３のウォータジャケット５には、内側からウォータジャケット５の壁面をクランクケース４側に押圧するジャケット蓋８０を設けた。冷却水を排水する際には、カプラ６によってジャケット蓋８０を押し込むことでウォータジャケット５の密閉状態を解除するとともに、カプラ６そのものを通じて冷却水をクランクケース４の外まで導くこととした。【選択図】図６
2007332796.tif 000002
【特許請求の範囲】
【請求項１】
内燃機関におけるクランク軸が組み付けられたクランクケースと、
前記内燃機関におけるシリンダ及び冷却水用のウォータジャケットが形成されたシリンダブロックと、を備え、
前記クランクケースには前記シリンダブロックをシリンダ軸方向に往復運動可能に収納する収納部が設けられ、
前記クランクケースと前記シリンダブロックとを、前記シリンダブロックの少なくとも一部が前記収納部に収納された状態で相対的に接近または離反させて燃焼室の容積を変更することにより圧縮比を変更する可変圧縮比内燃機関であって、
前記シリンダブロックに設けられ、前記ウォータジャケットと該シリンダブロックの外側とを連通する排水通路と、
前記クランクケースに設けられ、少なくとも所定の圧縮比の状態において前記シリンダブロックにおける排水通路の前記シリンダブロックの外側への開口部を、冷却水の排水可能に露出させる露出部と、をさらに備えることを特徴とする可変圧縮比内燃機関。
【請求項２】
前記露出部は、前記クランクケースにおいて前記収納部の内側と前記クランクケースの外側とを連通する排出孔であることを特徴とする請求項１に記載の可変圧縮比内燃機関。
【請求項３】
前記排水通路は、前記シリンダブロックにおけるシリンダ軸に略垂直に形成されており、
前記露出部は、前記排水通路に略平行に形成され、前記クランクケースにおいて前記収納部の内側と前記クランクケースの外側とを連通する排出孔であり、
前記排出孔をクランクケース外側から閉塞する蓋部材と、
前記シリンダブロックの外壁と前記収納部の内壁との隙間に設けられ、前記排水通路と前記排出孔との間の空間を、前記シリンダブロックの外壁と前記収納部の内壁との隙間における前記空間の外部から遮断するシール部材と、
をさらに備えることを特徴とする請求項１に記載の可変圧縮比内燃機関。
【請求項４】
前記露出部は、前記クランクケースにおいて前記収納部の内側と前記クランクケースの外側とを連通する排出孔であり、
伸縮または変形可能に形成され、前記内燃機関の圧縮比の可変範囲における全ての圧縮比において前記排水通路と前記排出孔とを連通可能な可撓性管路と、
前記排出孔を外側から閉塞する第２蓋部材と、
をさらに備えることを特徴とする請求項１に記載の可変圧縮比内燃機関。
【請求項５】
前記排水通路は、前記シリンダブロックにおけるシリンダ軸に略垂直に形成されており、
前記露出部は、前記内燃機関の圧縮比の可変範囲における全ての圧縮比において、前記排水通路の前記シリンダブロックの外側への開口部を露出させるべく、前記クランクケースに設けられた排出領域であり、
前記排水通路を外側から閉塞する第３蓋部材をさらに備えることを特徴とする請求項１に記載の可変圧縮比内燃機関。
【請求項６】
前記排出領域を外側から閉塞する第４蓋部材をさらに備えることを特徴とする請求項５に記載の可変圧縮比内燃機関。
【請求項７】
前記排水通路は、前記シリンダブロックにおけるシリンダ軸に略垂直に形成されており、
前記露出部は、前記内燃機関の圧縮比の可変範囲における全ての圧縮比において、前記
排水通路の前記シリンダブロックの外側への開口部を露出させるべく、前記クランクケースに設けられた排出領域であり、
前記排水通路の前記シリンダブロックの外側への開口部に一端が接続され、前記排出領域を貫通するとともに他端が前記排出領域の外側において開口している連結管路と、
前記連結管路の他端側の開口部を外側から閉塞する第５蓋部材と、をさらに備えることを特徴とする請求項１に記載の可変圧縮比内燃機関。
【請求項８】
前記排出領域において前記連結管路が貫通する部分以外の領域を可撓性部材で覆うことにより、前記内燃機関の圧縮比の可変範囲における全ての圧縮比において前記排出領域を密閉可能としたことを特徴とする請求項７に記載の可変圧縮比内燃機関。
【請求項９】
請求項１に記載の可変圧縮比内燃機関において、
前記排水通路には、該排水通路の前記ウォータジャケット側の開口部を、前記ウォータジャケット側から所定の押圧力で押圧することによって閉塞する第６蓋部材が設けられ、
前記露出部において前記排水通路の前記シリンダブロックの外側への開口部が露出された状態で、先端部から吸水した水を後側の部分から排出可能な排水部材を前記露出部から挿入し、
前記排水部材を前記排水通路に前記押圧力に抗して侵入させることにより前記第６蓋部材による前記開口部の閉塞を解除し、
前記排水部材が前記排水通路に侵入して前記第６蓋部材による前記開口部の閉塞が解除された状態で、前記ウォータジャケット内の冷却水を前記排水部材の先端部から吸水させ、後側の部分から排出させることにより前記クランクケースの外側へ排出させることを特徴とする可変圧縮比内燃機関の冷却水排出方法。
【請求項１０】
前記排水通路は、前記シリンダブロックにおけるシリンダ軸に略垂直に形成されており、
前記露出部は、前記排水通路に略平行に形成され、前記クランクケースにおいて前記収納部の内側と前記クランクケースの外側とを連通する排出孔であり、
前記内燃機関における圧縮比が前記所定の圧縮比となった際に、前記排水通路と前記排出孔とが軸を略共有することを特徴とする請求項９に記載の可変圧縮比内燃機関の冷却水排出方法。
【請求項１１】
前記排水通路は、前記シリンダブロックにおけるシリンダ軸に略平行に形成されており、
前記露出部は、前記排水通路に略平行に形成され、前記クランクケースにおいて前記収納部の底面と前記クランクケースの外側とを連通する排出孔であり、
前記内燃機関の圧縮比の可変範囲における全ての圧縮比において、前記排水通路と前記排出孔とが軸を略共有することを特徴とする請求項９に記載の可変圧縮比内燃機関の冷却水排出方法。
【請求項１２】
請求項１に記載の可変圧縮比内燃機関において、
前記排水通路は、前記シリンダブロックにおける前記収納部に収納されない部分に前記シリンダ軸に略垂直に形成され、
前記排水通路から可撓性の排水ホースを挿入し、該排水ホースの先端を前記ウォータジャケットの底部付近まで送り込み、
前記排水ホースの後部から冷却水を吸い出すことによって冷却水をクランクケースの外側に排出させることを特徴とする可変圧縮比内燃機関の冷却水排出方法。
【発明の詳細な説明】
【技術分野】
【０００１】
本発明は、内燃機関の圧縮比を変更する機能を有する可変圧縮比内燃機構に関し、特に可変圧縮比内燃機関からの冷却水排出構造及び冷却水排出方法に関する。
【背景技術】
【０００２】
近年、内燃機関の燃費性能や出力性能などを向上させることを目的とした、内燃機関の圧縮比を可変にする技術が提案されている。この種の技術としては、シリンダブロックとクランクケースとを相対移動可能に連結するとともにその連結部分にカム軸を設け、前記カム軸を回動させてシリンダブロックとクランクケースとを、気筒の軸線方向に相対移動させることで燃焼室の容積を変更し、以て内燃機関の圧縮比を変更する技術が提案されている（例えば、特許文献１を参照。）。
【０００３】
上記の可変圧縮比内燃機関については、出荷前のベンチテストの終了後に、テストに使用した冷却水を、シリンダブロックが錆びることを防止するために排出する場合がある。また、市場における内燃機関の整備時にも、内燃機関内部の冷却水を排出する場合がある。
【０００４】
しかし、前述のようにシリンダブロックとクランクケースとを、気筒の軸線方向に相対移動させることで圧縮比を変更する内燃機関においては、ウォータジャケットが形成されているシリンダブロックの一部が、クランクケースに設けられた収納部に収納された状態で相対移動する構造がとられることがある。この場合、シリンダブロックの外壁をクランクケースの収納部の外壁で覆うような構造となるので、シリンダブロックの外側とウォータジャケットをと連通する水抜き孔を設けただけでは、冷却水をクランクケースの外側に導くことができず、冷却水を良好に排出することが困難な場合があった。
【特許文献１】特開２００３−２０６７７１号公報
【特許文献２】特開２００３−２３９７４３号公報
【発明の開示】
【発明が解決しようとする課題】
【０００５】
本発明は、上記従来技術に鑑みてなされたものであり、その目的とするところは、シリンダブロックが、クランクケースに設けられた収納部に収納されつつ、クランクケースに対して相対移動する可変圧縮比内燃機関において、シリンダブロックに形成されたウォータジャケットから冷却水を良好に排出可能とする技術を提供することである。
【課題を解決するための手段】
【０００６】
上記目的を達成するための本発明は、クランクケースとシリンダブロックとが、シリンダブロックの少なくとも一部がクランクケースに設けられた収納部に収納された状態で相対移動する可変圧縮比内燃機関において、シリンダブロックにウォータジャケットからシリンダブロックの外側に冷却水を排出する排水通路を設けるとともに、クランクケースには、前記排水通路が少なくとも所定の圧縮比において露出する露出部を設けたことを最大の特徴とする。
【０００７】
より詳しくは、内燃機関におけるクランク軸が組み付けられたクランクケースと、
前記内燃機関におけるシリンダ及び冷却水用のウォータジャケットが形成されたシリンダブロックと、を備え、
前記クランクケースには前記シリンダブロックをシリンダ軸方向に往復運動可能に収納する収納部が設けられ、
前記クランクケースと前記シリンダブロックとを、前記シリンダブロックの少なくとも一部が前記収納部に収納された状態で相対的に接近または離反させて燃焼室の容積を変更することにより圧縮比を変更する可変圧縮比内燃機関であって、
前記シリンダブロックに設けられ、前記ウォータジャケットと該シリンダブロックの外側とを連通する排水通路と、
前記クランクケースに設けられ、少なくとも所定の圧縮比の状態において前記シリンダブロックにおける排水通路の前記シリンダブロックの外側への開口部を、冷却水の排水可能に露出させる露出部と、をさらに備えることを特徴とする。
【０００８】
こうすれば、シリンダブロックの排水通路の外側の開口部が、クランクケースにおける収納部の壁面に覆われている構成においても、少なくとも所定の圧縮比においては、前記排出通路の開口部をクランクケースの外側に対して露出させることができるので、ウォータジャケット内の冷却水をクランクケースの外側に容易に排出することができる。その結果、可変圧縮比内燃機関における冷却水の排出作業を良好に行うことができる。
【０００９】
また、本発明においては、前記露出部は、前記クランクケースにおいて前記収納部の内側と前記クランクケースの外側とを連通するように形成された排出孔であるようにしてもよい。
【００１０】
すなわち、クランクケースに、前記排水通路と同様の通路である排出孔を設けるようにする。そうすれば、ウォータジャケット内の冷却水はまず前記排水通路を通過してシリンダブロックの外側に排出され、ついで、排出孔を通過してクランクケースの外側に排出される。このような２つの通路を設けることにより、冷却水を容易にクランクケースの外側に排出することができる。また、クランクケースにおける収納部に不用意に大きな開口部を設けることがないので、シリンダブロックとシリンダケースの間に存在する潤滑油が露出部から漏れ出ることを抑制できる。
【００１１】
また、本発明においては、前記排水通路を、前記シリンダブロックにおけるシリンダ軸に略垂直に形成し、前記排出孔を露出部として前記排水通路に略平行に形成することによって、前記クランクケースにおいて前記収納部の内側と前記クランクケースの外側とを連通し、前記排出孔をクランクケースの外側から閉塞する蓋部材と、前記シリンダブロックの外壁と前記収納部の内壁との隙間における前記排水通路と前記排出孔の間の空間を、前記シリンダブロックの外壁と前記収納部の内壁との隙間における前記空間の外部から遮断するシール部材と、をさらに備えるようにしてもよい。
【００１２】
すなわち、ウォータジャケットとシリンダブロックの外側とは排水通路で連通する。そして、収納部の内側とクランクケースの外側とは排出孔で連通する。そして、排水通路と排出孔との間は、シール部材とシリンダブロックの外壁と収納部の内壁とで形成される空間で連通する。そうすれば、ウォータジャケットからクランクケースの外側までの冷却水の通路が形成され、冷却水を容易にクランクケースの外側に排出することができる。
【００１３】
この場合のシール部材としては円形の所謂Ｏリングを例示することができる。そして、このＯリングの内径を、圧縮比の可変範囲におけるクランクケースに対するシリンダブロックの相対移動距離より大きく設定し、圧縮比が如何に変化しても排水通路の外側の開口部がＯリングの内側に位置するようにすれば、圧縮比の可変範囲内の全ての圧縮比において、ウォータジャケットからクランクケースの外側までの冷却水の通路を形成することができる。
【００１４】
また、Ｏリングの内径はより小さく設定し、このＯリングを、排水通路の外側の開口部がＯリングの内側に位置させた状態でシリンダブロックの外壁に固定し、Ｏリングがシリ
ンダブロックと共にクランクケースに対して相対移動するようにしてもよい。そうすれば、所定の圧縮比においては、Ｏリングによって排水通路と連通路とを連通することができ、それ以外の圧縮比においてはＯリングと収納部の内壁とによって排水通路を閉塞し、ウォータジャケット内の冷却水がＯリングの外部に漏れ出すことを抑制できる。
【００１５】
また、本発明においては、前記露出部を、前記クランクケースにおいて前記収納部の内側と前記クランクケースの外側とを連通する排出孔とし、伸縮または変形可能に形成された可撓性管路で、前記内燃機関の圧縮比に拘らず前記排水通路と前記排出孔とを連通するようにし、さらに、前記排出孔を外側から第２蓋部材で閉塞するようにしてもよい。
【００１６】
すなわち、排水通路と排出路とを可撓性管路によって連通する。そして、排出路を第２蓋部材によって外側から閉塞する。そうすれば、内燃機関の圧縮比の可変範囲の全ての圧縮比において、換言するとクランクケースに対するシリンダブロックの相対位置が如何様であっても、ウォータジャケットとクランクケースの外側とを確実に連通させることができる。そして、第２蓋部材を取り外して排出路を開放することで、ウォータジャケット内の冷却水を良好にクランクケースの外側に排出することができる。
【００１７】
また、本発明においては、前記排水通路は、前記シリンダブロックにおけるシリンダ軸に略垂直に形成されるようにし、前記露出部は、前記内燃機関の圧縮比可変範囲における全ての圧縮比において、前記排水通路を露出させるべくクランクケースに設けられた排出領域とし、前記排水通路を外側から閉塞する第３蓋部材をさらに備えるようにしてもよい。
【００１８】
すなわち、内燃機関の圧縮比が変更された場合、クランクケースに対する排水通路の外側の開口部の相対位置も変化するが、排出領域は、排水通路のシリンダブロック外側の開口部が取りうる全ての位置において、該開口部がクランクケースの外側に対して露出しているように形成される。例えば排出領域は、縦長の長穴状に形成されてもよい。
【００１９】
そして、排水通路は、排出領域の外側から脱着可能な第３蓋部材によって閉塞される。そうすれば、より簡単な構成によってウォータジャケット内の冷却水をクランクケースの外側に排出可能となる。また、冷却水の排出の場合には、排出領域の外側からの作業によって第３蓋部材を取り外せばよいので、冷却水の排出作業も平易となる。
【００２０】
また、この場合、前記排出領域を外側から閉塞する第４蓋部材をさらに備えるようにしてもよい。すなわち、排出領域の外側から見ると、排水通路のシリンダブロックの外側への開口部が露出しており、排出領域の外側からの作業によって第３蓋部材を取り付けることができるが、その状態からさらに排出領域全体を覆う第４蓋部材を取り付けて、排出領域全体を閉塞するようにしてもよい。
【００２１】
そうすれば、シリンダブロックとクランクケースとの間の潤滑油が連通領域から漏れ出すことを抑制できる。
【００２２】
また、本発明においては、前記排水通路は、前記シリンダブロックにおけるシリンダ軸に略垂直に形成されるようにし、前記露出部は、前記内燃機関の圧縮比の可変範囲における全ての圧縮比において、前記排水通路を露出させるべくクランクケースに設けられた排出領域とし、前記排水通路におけるシリンダブロックの外側の開口部に一端が接続され、前記排出領域を貫通するとともに他端が前記排出領域の外側において開口している連結管路と、前記連結管路の他端側の開口部を外側から閉塞する第５蓋部材と、をさらに備えるようにしてもよい。
【００２３】
すなわち、上記と同様、排出領域は、排水通路のシリンダブロックの外側の開口部が取りうる全ての位置において、開口部がクランクケースの外側に露出しているように形成される。前述のように排出領域は、縦長の長穴状に形成されてもよい。そして、排水通路には、前記排出領域を貫通する連結管路が接続される。そして、連結管路は、クランクケースの外側において開口している。そうすれば、連結管路によってより確実にウォータジャケット内の冷却水をクランクケースの外側に排出することが可能となる。また、冷却水の排出を行わない場合には、連結管路の開口部に第５蓋部材を取り付けることで、容易に冷却水の漏れ出しを抑制することができる。
【００２４】
また、この場合には、前記排出領域において前記連結管路が貫通する部分以外の領域を可撓性部材で覆うことにより、前記内燃機関の圧縮比可変範囲における全ての圧縮比において前記排出領域を密閉可能としてもよい。
【００２５】
すなわち、排出領域における連結管路が貫通している部分以外の領域を可撓性部材で覆う。そして、圧縮比が変更されて排出領域内における連結管路の位置が変化した場合でも、可撓性部材が変形することにより、排出領域の密閉状態を維持する。そうすれば、より確実に、シリンダブロックとクランクケースとの間の潤滑油が排出領域から漏れ出すことを抑制できる。
【００２６】
また、本発明においては、前記排水通路には、該排水通路の前記ウォータジャケット側の開口部を、前記ウォータジャケット側から所定の押圧力で押圧することによって閉鎖する第６蓋部材が設けられ、
前記露出部において前記排水通路の前記シリンダブロックの外側への開口部が露出された状態で、先端部において吸水した水を後側の部分から排出可能な排水部材を前記露出部から挿入し、
前記排水部材を前記排水通路に前記押圧力に抗して侵入させることにより前記第６蓋部材による前記開口部の閉塞を解除し、
前記排水部材が前記排水通路に侵入することにより前記第６蓋部材による前記開口部の閉塞状態を解除した上で、前記ウォータジャケット内の冷却水を前記排水部材を通じて前記クランクケースの外側へ排出させる冷却水排出方法を実行してもよい。
【００２７】
この方法においては、まず、排水通路には、該排水通路の前記ウォータジャケット側の開口部を、前記ウォータジャケット側から所定の押圧力で押圧することによって閉塞する第６蓋部材が設けられており、自動的にウォータジャケットが密閉されるようになっている。
【００２８】
そして、この方法においては、冷却水の排出のための道具として、先端部において吸水した水を後側の部分から排出可能な排水部材が用いられる。この排水部材を露出部としての連通路から挿入し、さらに排水通路に侵入させる。そして、前記第６蓋部材を前記押圧力に抗して押し開ける。そうすると、ウォータジャケット内の冷却水が前記排水部材の先端部から吸水され、排水部材の後側の部分から、クランクケースの外側に排出される。
【００２９】
この方法によれば、排出部材を連通路から挿入してウォータジャケット側に押し付けるという簡単な動作で、自動的に冷却水をクランクケースの外側に排出することができる。
【００３０】
なお、この方法においては、前記排水通路は、前記シリンダブロックにおけるシリンダ軸に略垂直に形成し、前記露出部は、前記排水通路に略平行に形成され、前記クランクケースにおいて前記収納部の内側と前記クランクケースの外側とを連通する排出孔とし、前記内燃機関における圧縮比が前記所定の圧縮比となった際に、前記排水通路と前記排出孔とが軸を略共有するようにしてもよい。
【００３１】
すなわち、排水通路及び排出路の両方が、シリンダブロックのシリンダ軸に略垂直に形成される。そして、内燃機関の圧縮比が所定の圧縮比となった際に、排水通路と排出路とが略同軸の状態となる。その状態において、排水部材を排出路から挿入して冷却水を排出させる。これによれば、クランクケースにおける露出部の面積を小さく抑えることができ、シリンダブロックとクランクケースとの間に存在する潤滑油が露出部から漏れ出すことを抑制できる。
【００３２】
また、この方法においては、前記排水通路は、前記シリンダブロックにおけるシリンダ軸に略平行に形成し、前記露出部は、前記排水通路に略平行に形成され、前記クランクケースにおいて前記収納部の底面と前記クランクケースの外側とを連通する排出孔とし、前記内燃機関の圧縮比の可変範囲における全ての圧縮比において、前記排水通路と前記排出孔とが軸を略共有するようにしてもよい。
【００３３】
すなわち、排水通路及び排出孔の両方を、シリンダブロックのシリンダ軸と平行に形成する。例えば、排水通路は、ウォータジャケットの底面とシリンダブロックの下面とを連通するように形成する。そして、排出孔は、クランクケースの収納部の底面と、クランクケースのさらに下面とを連通するように形成する。そうすれば、内燃機関の圧縮比に関係なく、排水通路と排出路とを略同軸の状態とすることができ、如何なる圧縮比の状態においても冷却水の排出を行うことができる。
【００３４】
また、本発明においては、前記内燃機関の圧縮比の可変範囲の全ての圧縮比において前記シリンダブロックにおいて前記収納部に収納されない部分に、前記排水通路が前記シリンダ軸に略垂直に形成されるようにし、冷却水の排出時には、前記排水通路から可撓性の排水ホースを挿入して、その先端を前記ウォータジャケットの底部付近まで送り込み、前記排水ホースの後部から冷却水を吸い出すことによって冷却水をクランクケースの外側に排出させる冷却水の排出方法を採用してもよい。
【００３５】
すなわち、排水通路は、シリンダブロックにおいて、クランクケースの収納部に収納されない部分に設けられる。その場合、シリンダブロックの外側にクランクケースは存在しないので、排水通路はクランクケースの外側に対して自動的に露出している。一方、このような配置を採用した場合には、排水通路はシリンダブロックにおいてウォータジャケットの上部と、シリンダブロックの外側とを連通するので、このままでは、冷却水を充分に排出することが困難である。
【００３６】
従って、この場合には、排水ホースを排水通路から挿入し、排水ホースの先端をウォータジャケットの底部まで送り込む。そして、排水ホースの後部からポンプなどで冷却水を吸い出す。
【００３７】
こうすれば、非常に容易な構成及び方法によって、内燃機関の圧縮比可変範囲における全ての圧縮比において、冷却水の排出が可能となる。
【００３８】
また、この場合、冷却水の排出時に排水ホースを排水通路から挿入するのではなく、排水通路を貫通し、先端がウォータジャケットの底部まで延びている排水バイプが常設され、排水パイプの後部（シリンダブロックの外側の開口部）にドレンプラグを脱着するような構成にしてもよい。こうすれば、冷却水の排出時にドレンプラグを取り外し、排水パイプの後部からポンプなどで冷却水を吸い出すことによって、容易に冷却水を排出することができる。
【００３９】
なお、上記した本発明の課題を解決する手段については、可能なかぎり組み合わせて用
いることができる。
【発明の効果】
【００４０】
本発明にあっては、シリンダブロックが、クランクケースに設けられた収納部に収納されつつ、クランクケースに対して相対移動する可変圧縮比内燃機関において、シリンダブロックに形成されたウォータジャケットから冷却水を良好に排出することができる。
【発明を実施するための最良の形態】
【００４１】
以下に図面を参照して、この発明を実施するための最良の形態を例示的に詳しく説明する。
【実施例１】
【００４２】
図１に本実施例に係る可変圧縮比内燃機関（以下、「内燃機関１」）のシリンダブロック３及びクランクケース４の概略について示す。図１に示すように、内燃機関１におけるシリンダブロック３及びクランクケース４は分離構造がとられている。シリンダブロック３にはシリンダ２及び冷却水の流路となるウォータジャケット５が形成されている。このシリンダブロック３の図中上側には図示しないシリンダヘッドが備え付けられる。一方、クランクケース４には図示しないクランクシャフト及びコンロッド、ピストンが備えられている。
【００４３】
また、クランクケース４には、収納部４ａが設けられ、シリンダブロック３は収納部４ａに収納されている。内燃機関１において圧縮比を変更する際には、図示しない可変圧縮比機構によってクランクケース４に対してシリンダブロック３が、シリンダ２の軸方向について接近または離反する。このクランクケース４とシリンダブロック３との相対移動によって燃焼室の容積を変更し、圧縮比を変更する。
【００４４】
ここで、シリンダブロックがクランクケースに対して相対移動しない通常の内燃機関においては、シリンダブロックにおけるウォータジャケットの底部付近と、シリンダブロックの外側とを連通するドレンが設けられ、ドレンプラグで閉塞されている。そして、内燃機関の出荷前のベンチテストや市場での整備時においては、ドレンプラグを取り外すことにより、ウォータジャケット内の冷却水がドレンから排出される。
【００４５】
しかし、図１に示すような構成の内燃機関１においては、シリンダブロック３の外側に収納部４ａの内壁が配置されており、しかも目標圧縮比に応じてシリンダブロック３が収納部４ａの内壁に対して相対移動するので、ウォータジャケット５内の冷却水をクランクケース４の外側に直接排出することが困難な場合があった。
【００４６】
そこで、本実施例においては、シリンダブロック３にシリンダブロック側ドレン３ａ、クランクケース４側にはクランクケース側ドレン４ｂの２つのドレンを設けた。そして、シリンダブロック側ドレン３ａとクランクケース側ドレン４ｂとの間をＯリング５０を利用して連通することとした。なお、以下の図２〜図７において示す図は、図１に破線で示す円内の部分の拡大図である。
【００４７】
図２には、本実施例におけるドレン付近の概略構成を示す。図２（ａ）に示すように、シリンダブロック３の外側とウォータジャケット５の間にはシリンダブロック側ドレン３ａが設けられ、クランクケース４にはクランクケース側ドレン４ｂが設けられている。このシリンダブロク側ドレン３ａとクランクケース側ドレン４ｂとは、圧縮比が最高圧縮比に設定され、クランクケース４に対してシリンダブロック３が最も接近した状態において軸を共有するようになっている。また、クランクケース側ドレン４ｂの内壁には螺旋が形成されている。
【００４８】
クランクケース側ドレン４ｂのクランクケース４の外側への開口部には、ドレンプラグ４０が捻じ込まれることにより、クランクケース側ドレン４ｂを閉塞するようになっている。
【００４９】
そして、本実施例においては、シリンダブロック３とクランクケース４との隙間部分にＯリング５０が設けられている。このＯリング５０は、クランクケース４の収納部４ａの内壁に固定されており、シリンダブロック３がクランクケース４に対して相対移動した際にも、クランクケース４側に対して相対移動しない。また、Ｏリング５０の内径は充分に大きく設定されており、内燃機関１における圧縮比の可変範囲の最高値である場合及び、最低値である場合にも、シリンダブロック側ドレン３ａのシリンダブロック３の外側への開口部は、Ｏリング５０の内側に位置する。すなわち圧縮比の可変範囲における全ての圧縮比において、シリンダブロック３とクランクケース４の間の隙間であってＯリング５０によって区切られた空間によって、シリンダブロック側ドレン３ａとクランクケース側ドレン４ｂとは連通されている。
【００５０】
そして、ウォータジャケット５内の冷却水を排出する場合には、ドレンプラグ４０を取り外す。そうすれば、ウォータジャケット５内の冷却水は、シリンダブロック側ドレン３ａ、シリンダブロック３とクランクケース４の間の隙間であってＯリング５０によって区切られた空間、クランクケース側ドレン４ｂを通過して排出される。
【００５１】
本実施例によれば、非常に簡単な構成及び作業によって、ウォータジャケット５内の冷却水を排出することができる。
【００５２】
なお、上記の実施例においては、比較的大きなＯリング５０を用いて、圧縮比の可変範囲における全ての圧縮比においてシリンダブロック側ドレン３ａのシリンダブロック３の外側への開口部がＯリング５０の内側に位置する場合について説明したが、Ｏリング５０はより小径のものを用い、シリンダブロック側ドレン３ａのシリンダブロック３の外側への開口部がＯリング５０の内側に位置するように、シリンダブロック３に固定されてもよい。
【００５３】
その場合は、圧縮比が最高圧縮比に設定された際には、クランクケース４に対してシリンダブロック３が最も接近した状態において軸を共有するので、シリンダブロック３とクランクケース４の間の隙間とＯリング５０とによってシリンダブロック側ドレン３ａとクランクケース側ドレン４ｂとが連通され、冷却水の排水が可能な状態となる。
【００５４】
そして、圧縮比が例えば、可変範囲の最低圧縮比付近である状態においては、図２（ｂ）に示すようにＯリング５０はシリンダブロック３とともにクランクケース４に対して相対移動し、クランクケース側ドレン４ｂは、Ｏリング５０の外側に対して開口するようになる。その状態では、ウォータジャケット５はＯリング５０と収納部４ａの内壁によって密閉状態が維持される。
【００５５】
なお、上記においてシリンダブロック側ドレン３ａは排水通路に、クランクケース側ドレン４ｂは排出孔に相当する。また、ドレンプラグ４０は蓋部材に、Ｏリング５０はシール部材に相当する。
【実施例２】
【００５６】
次に、本発明における実施例２について説明する。本実施例は、シリンダブロック側ドレンとクランクケース側ドレンとを可撓性の蛇腹管で連通し、内燃機関の圧縮比に拘わらず冷却水の排出を可能にした例について説明する。
【００５７】
図３は、本実施例におけるドレン付近の概略構成について示した図である。図３（ａ）においては、シリンダブロック側ドレン３ｂ及びクランクケース側ドレン４ｃは、シリンダ２の軸方向に平行に形成されている。そして、シリンダブロック側ドレン３ｂ及びクランクケース側ドレン４ｃの間は蛇腹管６０で連通されている。そして、クランクケース側ドレン４ｃには螺旋が形成されており、ドレンプラグ４０が螺合することによって閉塞している。
【００５８】
ここで、圧縮比が変更されることによってシリンダブロック３がクランクケース４に対して相対移動する場合は、蛇腹管６０が伸縮することにより、シリンダケース側ドレン３ｂとクランクケース側ドレン４ｃとの連通を維持する。この例によれば、内燃機関１における圧縮比の可変範囲における全ての圧縮比において、ウォータジャケット５とクランクケース４の外側とを連通することができ、ドレンプラグ４０を取り外すという平易な作業によって冷却水の排出を良好に行うことができる。
【００５９】
図３（ｂ）には、本実施例における別の態様について示す。本態様においては、シリンダブロック側ドレン３ｃ及びクランクケース側ドレン４ｄは、シリンダブロック３のシリンダ２の軸方向に垂直な方向に形成されている。そして、シリンダブロック側ドレン３ｃとクランクケース側ドレン４ｄとを蛇腹管７０によって連通している。そして、最高圧縮比の状態においてシリンダブロック側ドレン３ｃとクランクケース側ドレン４ｄとの軸が共有されるようになっている。
【００６０】
なお、この場合は、クランクケース４に対するシリンダブロック３の相対移動方向が、シリンダブロック側ドレン３ｃ、クランクケース側ドレン４ｄと垂直方向になる。従って最高圧縮比以外の圧縮比においては、シリンダブロック側ドレン３ｃとクランクケース側ドレン４ｄの軸同士は、ずれてしまう。しかし、この場合でも蛇腹管７０がその軸方向と垂直方向に変形することにより、シリンダブロック側ドレン３ｃとクランクケース側ドレン４ｄの連通を維持する。この例においても、冷却水の排出時には、ドレンプラグ４０を取り外すという平易な作業によってウォータジャケット５における冷却水を排出することができる。
【００６１】
なお、上記において、蛇腹管６０及び７０は可撓性管路に相当する。また、本実施例におけるドレンプラグ４０は第２蓋部材に相当する。
【実施例３】
【００６２】
次に本発明の実施例３について説明する。本実施例においては、シリンダブロック側ドレン３ｄには螺旋が形成されてドレンプラグ４０によって閉塞されており、クランクケース４には、内燃機関１の圧縮比の可変範囲の全ての圧縮比においてシリンダブロック側ドレン３ｄのシリンダブロック３の外側の開口部が、クランクケース４の外側に露出している例について示す。
【００６３】
図４には本実施例におけるドレン付近の概略構成を示す。本実施例においては、シリンダブロック側ドレン３ｄには螺旋が形成され、冷却水を排出しない場合にはドレンプラグ４０によって閉塞されている。また、クランクケース４には、内燃機関１における全ての圧縮比においてシリンダブロック側ドレン３ｄが露出するような縦長の開口部であるクランクケース側スリット４ｅが設けられている。
【００６４】
そして、冷却水を排出する場合には、ドレンプラグ４０を取り外すことにより、冷却水をクランクケース４の外側へ排出することができる。
【００６５】
これによれば、より簡単な構成で内燃機関１の圧縮比に拘わらず冷却水を排水することができる。
【００６６】
また、この場合、クランクケース側スリット４ｅには、クランクケース側スリット４ｅ全体を覆うキャップ４ｆを設けても良い。そうすれば、キャップ４ｆによってクランクケース側スリット４ｅ全体を閉塞することができ、シリンダブロック３とクランクケース４の間に存在する潤滑油の漏れ出しを抑制することができる。
【００６７】
また、本実施例においては、図５に示すようにシリンダブロック側ドレン３ｄに連結パイプ３ｅが接続されて、連結パイプ３ｅの先端がクランクケース側スリット４ｅの外側まで延びており、当該先端がドレンプラグ４０によって閉塞されている構成としてもよい。そうすれば、冷却水をより確実にクランクケース４の外側に排出することができる。
【００６８】
また、この場合には、また、この場合、クランクケース側スリット４ｅには、連結パイプ３ｅが貫通している部分以外をゴムなどの可撓性材料で形成され蛇腹構造を有する蛇腹カバー４ｇを設けるようにしてもよい。そうすれば、内燃機関１の圧縮比が変更されてクランクケース側スリット４ｅ内における連結パイプ３ｅの位置が変化しても、蛇腹カバー４ｇによってクランクケース側スリット４ｅを閉塞することができ、シリンダブロック３とクランクケース４の間の潤滑油の漏れ出しを抑制することができる。
【００６９】
なお、上記においてクランクケース側スリット４ｅは排出領域に相当する。本実施例におけるドレンプラグ４０は第３蓋部材に、キャップ４ｆは第４蓋部材に相当する。また、連結パイプ３ｅは連結管路に、連結パイプ３ｅを閉塞するドレンプラグ４０は第５蓋部材に相当する。蛇腹カバー４ｇは可撓性部材に相当する。
【実施例４】
【００７０】
次に、本発明における実施例４について説明する、本実施例においては、シリンダブロックのウォータジャケットには、内側からウォータジャケットの壁面クランクケース側に押圧する蓋体を設けた。冷却水を排水する際には、カプラによって前記蓋体を押し込むことによってウォータジャケットの密閉状態を解除するとともに、カプラそのものを用いて冷却水をクランクケースの外まで導くこととした。
【００７１】
図６には、本実施例におけるドレン構造の概略構成を示す。図６（ａ）に示すように、本実施例においては、シリンダブロック３にはシリンダブロック側ドレン３ｆが設けられ、クランクケース４にはクランクケース側ドレン４ｈが設けられている。このシリンダブロック側ドレン３ｆとクランクケース側ドレン４ｆとは、圧縮比が最高圧縮比に設定され、クランクケース４に対してシリンダブロック３が最も接近した状態において軸を共有するようになっている。また、シリンダブロック側ドレン３ｆ及びクランクケース側ドレン４ｈの内壁には螺旋が形成されている。また、クランクケース側ドレン４ｈの内径はシリンダブロック側ドレン３ｆの内径より大きく設定されている。
【００７２】
図６（ａ）において、ウォータジャケット５の内部には、ジャケット蓋８０と付勢バネ８１が備えられており、ジャケット蓋８０は付勢バネ８１によってウォータジャケット５のシリンダブロック側ドレン３ｆ側の壁面に押圧されてウォータジャケット５を密閉している。クランクケース側ドレン４ｈのクランクケース４の外側への開口部には、ドレンプラグ４０が捻じ込まれることにより、クランクケース側ドレン４ｈを閉鎖している。
【００７３】
次に、図６（ｂ）を用いて、ウォータジャケット５から冷却水を排出する方法について説明する。本実施例においては、冷却水の排出作業時の道具としてカプラ６を備えている。このカプラ６の先端部６ａ側面には、吸水口６ｂが形成されている。また、雄螺旋部６
ｃが形成されている。さらに内部には、吸水口６ｂと、カプラ後端部６ｄとを連通させる水路６ｅが形成されている。そして、ドレンプラグ４０をクランクケース側ドレン４ｈから取り外した後にクランクケース側ドレン４ｈの開口部からカプラ６を挿入する。さらにシリンダブロック側ドレン３ｆにカプラ６が達した後にカプラ６を回転させることにより、雄螺旋部６ｃを、シリンダブロック側ドレン３ｆに形成された雌螺旋に螺合させる。そうすると、カプラ６はさらに奥まで挿入されて付勢バネ８１の付勢力に抗してジャケット蓋８０を押し込むことによってウォータジャケット５の密閉状態を解除する。そのことにより、ウォータジャケット５内の冷却水がカプラ６の吸水口６ｂから吸水され水路６ｅを通過して後端部６ｄからクランクケース４の外側に排出される。
【００７４】
以上、説明したように、本実施例においては、ドレンをシリンダブロック３及びクランクケース４の両方に設け、圧縮比を可変範囲の最高圧縮比に設定した上でカプラ６をクランクケース側ドレン４ｂから挿入することにより、ウォータジャケット５内の冷却水を排水可能とした。これによれば、簡単な作業及び構成によってより確実に冷却水の排水を行うことができる。
【００７５】
なお、図７には、本実施例におけるシリンダブロック側ドレン３ｇ、クランクケース側ドレン４ｉをそれぞれシリンダ軸と平行方向に形成した例を示す。この場合は、図７（ａ）に示すように、ジャケット蓋８２はウォータジャケット５の底部に回転可能に支持されており、自由端付近を付勢バネ８３で図中下側に付勢されている。そして冷却水を排出する際には、図７（ｂ）に示すように、クランクケース４の図中下側からカプラ６を挿入する。このようにすれば、カプラ６の長さを充分に長くすることにより、内燃機関１の圧縮比に拘わらず、冷却水を排出することができる。
【００７６】
上記において、ジャケット蓋８０、８２は第６蓋部材に相当する。カプラ６は排水部材に相当する。また、上記においてカプラ６には雄螺旋部６ｃが設けられ、カプラ６を回転させることによりジャケット蓋８０，８３による密閉状態を解除したが、この螺旋構造は必ずしも必要でなく、シリンダブロック側ドレンにカプラの先端部を嵌合させ、直進運動させることによってジャケット蓋による密閉状態を解除するようにしてもよい。
【実施例５】
【００７７】
次に、本発明の実施例５について説明する。本実施例においては、シリンダブロック側ドレンは、シリンダブロックの上部であってクランクケースの収納部に収納されていない部分に設けられ、シリンダブロック側ドレンからホースをウォータジャケットに挿入して、冷却水を吸い出す方法について説明する。
【００７８】
図８に示すように、本実施例においては、シリンダブロック側ドレン３ｈは、シリンダブロック３の比較的上部に設けられている。そして、内燃機関１における圧縮比の可変範囲の全ての圧縮比において、シリンダブロック３のこの部分における外側にはクランクケース４は配置されない。
【００７９】
そして、シリンダブロック側ドレン３ｈには螺旋が形成されており、冷却水の排出を行わない場合には、ドレンプラグ４０によって閉塞されている。そしてウォータジャケット５中の冷却水を排出する際には、ドレンプラグ４０は取り外され、排水ホース９０がシリンダブロック側ドレン３ｈから挿入される。そして、排水ホース９０の先端はウォータジャケット５の底部付近まで送られる。そして、この状態で、排水ホース９０の後端からポンプで冷却水を排出する。
【００８０】
そうすれば、より簡単な作業及び構成でウォータジャケット５の冷却水を排出することができる。また、シリンダブロック３の外側にクランクケース４が配置されない部分にシ
リンダブロック側ドレン３ｈを配置できるので、シリンダブロック３とクランクケース４の間に存在する潤滑油の漏れ出しの対策を行う必要がない。ここで、シリンダブロック３において、その外側にクランクケース４が配置されない部分は、本実施例において露出部に相当する。
【００８１】
次に図９を用いて、シリンダブロック側ドレンが、シリンダブロックの上部であってクランクケースの収納部に収納されていない部分に設けられた別の例について説明する。
【００８２】
図９に示すように、この例でもシリンダブロック側ドレン３ｉは、シリンダブロック３の比較的上部に設けられている。そして、先述の例と同様、内燃機関１における圧縮比の可変範囲の全ての圧縮比において、シリンダブロック３のこの部分における外側にはクランクケース４は配置されない。
【００８３】
そして、シリンダブロック側ドレン３ｉには排水パイプ９１が、シリンダブロック側ドレン３ｉを貫通して先端がウォータジャケット５の底部付近まで延びた形で常設されている。また、排水パイプ９１のシリンダブロック３の外側の端部には螺旋が形成されており、冷却水の排出を行わない場合には、ドレンプラグ４０によって閉塞されるようになっている。ウォータジャケット５中の冷却水を排出する際には、ドレンプラグ４０は取り外され、排水パイプ９１のシリンダブロック３の外側の端部からポンプで冷却水を排出する。
【００８４】
そうすれば、より簡単な作業によりウォータジャケット５の冷却水を排出することができる。
【図面の簡単な説明】
【００８５】
【図１】本発明の実施例に係る内燃機関の概略構成を示す図である。
【図２】本発明の実施例１に係るウォータジャケットのドレン付近の構造を示す断面図である。
【図３】本発明の実施例２に係るウォータジャケットのドレン付近の構造を示す断面図である。
【図４】本発明の実施例３に係るウォータジャケットのドレン付近の構造を示す断面図である。
【図５】本発明の実施例３に係るウォータジャケットのドレン付近の構造の他の例を示す断面図である。
【図６】本発明の実施例４に係るウォータジャケットの冷却水の排出方法について説明するための断面図である。
【図７】本発明の実施例４に係るウォータジャケットの冷却水の排出方法の別の例について説明するための断面図である。
【図８】本発明の実施例５に係るウォータジャケットの冷却水の排出方法について説明するための断面図である。
【図９】本発明の実施例５に係るウォータジャケットのドレン付近の構造の例を示す断面図である。
【符号の説明】
【００８６】
１・・・内燃機関
２・・・シリンダ
３・・・シリンダブロック
３ａ〜３ｉ・・・シリンダブロック側ドレン
４・・・クランクケース
４ａ・・・収納部
４ｂ〜４ｄ、４ｆ〜４ｉ・・・クランクケース側ドレン
４e・・・クランクケース側スリット
５・・・ウォータジャケット
６・・・カプラ
４０・・・ドレンプラグ
５０・・・Ｏリング
６０、７０・・・蛇腹管
８０・・・ジャケット蓋
９０・・・排水ホース
９１・・・排水パイプ
９２・・・シール
【図１】
2007332796.tif 000003
【図２】
2007332796.tif 000004
【図３】
2007332796.tif 000005
【図４】
2007332796.tif 000006
【図５】
2007332796.tif 000007
【図６】
2007332796.tif 000008
【図７】
2007332796.tif 000009
【図８】
2007332796.tif 000010
【図９】
2007332796.tif 000011